【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  軟質なカバー（１０）によって被覆された詰物（９）を入れたシートバック（４）を有する、車両のシートであって、該シートバックは利用者の背中を支えるようになっている前面部（５）と、前記前面部を囲む２つの脇部（６）とを有し、前記シートバックは膨張式バッグを含む少なくとも１つの安全装置（７）をさらに有し、該安全装置は当該車両が所定の衝撃を受ければそのバッグを膨張させて利用者の側面に前記安全装置を展開させるようになっており、前記安全装置（７）は側壁（２４、２５）と前壁（２７）とを有するケーシング（８）内に配置され、前記バッグが膨張するとき該前壁（２７）は開口して前記安全装置の後部が通過して外に出るための出口（２８）を開けるようになっており、前記ケーシングの一部であり、かつ通常は互いに隣接している２つの縁部（２９、３０）の間に前記出口は形成され、そして前記ケーシングは前記シートバック（４）の一方の脇部（６）で前記詰物（９）と一体となっている、車両のシートにおいて、
前記カバー（１０）は互いに隣接する第１と第２の縁部（１８、１９）によって形成されている切れ目（１１）を有し、該２つの縁部（１８、１９）は前記カバー（１０）の一部であり、かつ前記ケーシングの前記前壁における前記出口の２つの縁部（２９、３０）にそれぞれ対応する関係になるように配置され、前記切れ目の２つの縁部（１８、１９）はそれぞれ前記出口の対向する側部で前記ケーシングに固定されていることを特徴とする車両のシート。
【請求項２】  前記ケーシングの前壁にある出口（２８）は前記ケーシングの側壁（２５）の近傍にあり、前記出口の２つの縁部（２９、３０）は、その一方が前記ケーシングの側壁（２５）に設けられ、他方が閉鎖壁（２７）に設けられていて、該閉鎖壁は前記ケーシングの前記前壁の一部でありかつ前記出口を開けるために前記ケーシングの固定部分（２０、２４）に対して持ち上がることができ、前記カバー（１０）にある前記切れ目の第１の縁部（１８）は前記ケーシングの側壁（２５）に固定され、前記切れ目の第２の縁部（１９）は前記閉鎖壁（２７）に固定されている、請求項１に記載の車両のシート。
【請求項３】  前記ケーシングの前記側壁は可動部分（２５）を有し、該側壁は前記カバーにある前記切れ目の第１の縁部（１８）を支え、前記安全装置の前記バッグが膨張するときには前記ケーシングの固定部分（２０、２４）から離れる方向に動いて前記シートバックの詰物（９）を圧縮し、前記出口（２８）を広げる、請求項２に記載の車両のシート。
【請求項４】  前記ケーシングの前記前壁にある前記出口（２８）は前記ケーシングの側壁（２５）に取り付けられている溝形材（３３）によって境界を区画され、該溝形材は前記シートバックの外側に向かって側方に開口しており、前記カバーにある前記切れ目の第１の縁部（１８）は前記溝形材内に係合し、該溝形材内には該第１の縁部を保持するための相補的保持手段（３６）が設けられ、該補助的保持手段（３６）と協働する保持手段（３７）が前記第１の縁部に取り付けられている、請求項２または３に記載の車両のシート。
【請求項５】  前記ケーシングの前記前壁にある前記出口（２８）に沿って設けられている前記溝形材（３３）は前記ケーシングのプラスチック材の前記側壁と一体に形成され、前記溝形材は、外側の壁（３５）と、前記ケーシングの側壁（２５）によって形成されている内側の壁と、前記外側の壁と前記内側の壁を連結する後壁（３４）とを備えている、ほほＵ字形の横断面を有する、請求項４に記載の車両のシート。
【請求項６】  前記ケーシングにある出口（２８）に沿って設けられている前記溝形材（３３）は、前記ケーシングから離れている外側の壁（３５）と、前記ケーシングにより近い内側の壁（２５）と前記外側の壁と前記内側の壁を連結する後壁（３４）とを備えたほぼＵ字形の横断面を有し、前記外側の壁（３５）には前記相補的保持手段を構成する内側に突出しているリム（３６）が設けられ、前記カバーの前記縁部に取り付けられている前記保持手段はほぼＪ形の弾力性のある形材（３７）から成り、該形材は前記シートバックの外側に向かって開かれ、かつ前記カバーの前記縁部に固定された内側分岐（３８）と、前記溝形材の前記外側の側壁にある、突出しているリム（３６）の後ろに係合する外側分岐（３９）とを有している、請求項４または請求項５に記載の車両のシート。
【請求項７】  前記カバーにある前記切れ目の第２の縁部（１９）は、前記ケーシングの前記前壁に平行に延び、かつ前記前壁の閉鎖壁（２７）に固定されている平板部材（４０）に取り付けられている、請求項２から請求項６までのいずれか１項に記載の車両のシート。
【請求項８】  前記カバーにある前記切れ目（１１）は前記ケーシングの向き合うそれぞれの側面にある２つの端末部分（１３、１５）によって前記安全装置のケーシング（８）を越えて延長されており、前記２つの端末部分は前記安全装置の前記バッグが膨張するときに開くようになっている、請求項１から請求項７のいずれか１項に記載の車両のシート。
【請求項９】  前記カバーにある前記切れ目のすくなくとも一つの縁部（１８、１９）は前記ケーシングの近傍にある前記切れ目の一方の端末部分（１３、１５）の少なくとも一部において自由になっている、請求項８に記載の車両のシート。
【請求項１０】  前記ケーシングの前記前壁にある前記出口の２つの前記縁部（２９、３０）は、その一方が前記ケーシングの側壁（２５）に、他方が前記閉鎖壁（２７）に設けられており、該閉鎖壁は前記ケーシングの前記前壁の一部であって、前記出口を開くとき前記ケーシングの固定部分に対して持ち上げられ、前記カバーにある前記切れ目の第１の縁部（１８）は、前記ケーシングの側壁（２５）に取り付けられている形材（３３ａ）に前記切れ目の少なくとも一つの端末部分（１３、１５）の高さで取り付けられている、請求項８に記載の車両のシート。
【請求項１１】  前記ケーシングの前記前壁にある前記出口の２つの縁部（２９、３０）は、その一方が前記ケーシングの側壁（２５）に、他方が前記閉鎖壁（２７）に取り付けられ、該閉鎖壁は前記ケーシングの前記前壁の一部であって、前記出口を開くときには前記ケーシングの固定部分に対して持ち上げられ、前記カバーにある前記切れ目の第２の縁部（１９）は、前記ケーシングの前記前壁の閉鎖壁（２７）に取り付けられている形材（４４ａ）に前記切れ目の少なくとも一つの端末部分（１３、１５）の高さで取り付けられている、請求項８記載の車両のシート。
【請求項１２】  前記安全装置のケーシング（８）の前記前壁は、前記ケーシングに取り付けられ、かつ出口通路（６３）を有するカバー部材（４８）によって覆われ、該出口通路（６３）は前記カバーにある切れ目（１１）にほぼ平行な縦方向に向かって延びそして前記ケーシングの前記前壁における出口（２８）に対応する関係になるように配置されており、前記カバー部材（４８）はさらに前記カバー部材の出口通路（６３）の対向する各側面に配置されている第１と第２の縦部材（６０、６１）を含み、前記カバー部材の第１の縦部材（６０）は前記カバーにある前記切れ目の第１の縁部（１８）に固定され、前記カバー部材の第２の縦部材（６１）は前記カバーにある前記切れ目の第２の縁部（１９）に固定され、前記カバー部材の前記２つの縦部材は前記カバー部材の出口通路（６３）の少なくとも一方の端末に配置されている少なくとも１つの弾力的な接続部（５９）によって連結され、前記出口通路（６３）は通常は閉じられており、そして前記弾力的な接続部は前記ケーシングの前記前壁における出口（２８）と同時に前記出口通路（６３）を開くことができるようになっている、請求項１から請求項３のいずれか１項に記載の車両のシート。
【請求項１３】  前記ケーシングの前記前壁にある出口（２８）は前記ケーシングの側壁（２５）の近傍にあり、前記出口の２つの縁部は、一方が前記ケーシングの側壁（２５）に、他方が前記閉鎖壁（２７）に取り付けられ、該閉鎖壁は前記ケーシングの前記前壁の一部であって、前記ケーシングの出口（２８）を開くときに前記ケーシングの固定部分（２０、２４）に対して持ち上げられ、前記カバー部材の第２の縦部材（６１）は前記閉鎖壁（２７）に取り付けられ、前記カバー部材の第１の縦部材（６０）は、前記ケーシングの側壁（２５）に沿って、前記シートバックの外側に向かって側方に開いている溝形材（５４）を形成し、前記カバーにある前記切れ目の第１の縁部（１８）は前記溝形材内に係合し、前記溝形材内に該第１の縁部を保持するための相補的保持手段（６５）が設けられ、該相補的保持手段（６５）と協働する保持手段（３７）が該第１の縁部に取り付けられている、請求項１２記載の車両のシート。
【請求項１４】  前記カバー部材（４８）は２つの端縁部（５３）の間でほぼ前記縦方向に延びている第１と第２の側縁部（５１、５２）を有し、前記第１の側縁部（５１）は前記カバー部材の前記溝形材（５４）を有し、前記カバー部材は、折り曲げることができ、かつ前記溝形材（５４）から前記カバー部材の第２の側縁部（５２）まで延びている薄板材（５０）をさらに含み、該薄板材は縦方向の中央部（５６）と２つの横方向分岐（５７）を有するＵ字形の切れ目（５５）を有しており、２つの前記横方向分岐（５７）は前記カバー部材の前記第２の側縁部に向かって両端部（５８）まで延びており、該両端部の高さで前記薄板材は２本の折り線（５９）に沿って折り合わされ、該２本の折り線の各々はＵ字形の前記切れ目の一方の端部と前記カバー部材の一方の端縁部（５３）との間に延びており、前記２本の折り線（５９）とＵ字形の切れ目（５５）は前記カバー部材の前記第１と第２の縦部材（６０、６１）との境界を区画し、前記折り線（５９）は前記弾力的な接続部を構成し、前記カバー部材の第１の縦部材（６０）は前記溝形材（５４）を含み、かつ前記ケーシングの前記前壁に直接対向するように配置され、前記カバー部材の第２の縦部材（６１）は前記カバー部材の第２の側縁部（５２）と、前記Ｕ字形の切れ目（５５）によって境界を区画されている舌状部（６２）を備えており、前記カバー部材の前記第２の縦部材がほぼ１８０°前記第１の縦部材上に折り返され、前記舌状部（６２）は前記ケーシングの前記前壁の閉鎖壁（２７）に直接当たって固定され、かつ前記カバー部材の第１と第２の側縁部（５１、５２）から離れるように延び、これによって、前記カバー部材の前記前壁にある前記出口（２８）の上に位置し、前記カバー部材の前記第２の縦部材（６１）によって覆われていた中央開口（６３）の覆いを取り除き、前記中央開口は前記カバー部材の出口（６３）を構成している、請求項１３に記載の車両のシート。
【請求項１５】  前記カバー部材の第１の縦部材（６０）は中央の開口部（６３）と各端縁部（５３）との間に脆弱部（６７）を有し、前記ケーシングの前記前壁にある出口（２８）が開くときに破断することによって、一方では前記溝形材（５４）を前記カバー部材から分離し、他方では前記第２の縦部材（６１）を前記カバー部材から分離する、請求項１４に記載の車両のシート。
【手続補正２】
【補正対象書類名】明細書
【補正対象項目名】０００１
【補正方法】変更
【補正の内容】
【０００１】
【発明の属する技術分野】
本発明は側面エアバッグを備えた車両シートに関する。
特に、本発明は、軟質なカバーによって被覆された詰物を入れたシートバックを備えた車両シートであって、このシートバックは利用者の背中を支えるようになっている前壁と、この前壁を囲む２つの脇部とを有し、上記シートバックは膨張式バッグを含む少なくとも１つの安全装置をさらに有し、この安全装置は、当該車両が所定の衝撃を受ければ、そのバッグを膨張させて利用者の側面にこの装置を展開させるようになっており、その安全装置は側壁と前壁とを有するケーシング内に配置され、バッグが膨張するとき、この前壁は開口しそして安全装置の後部が通過して外に出るための出口を開けるようになっており、ケーシングの一部でありかつ通常は隣接している２つの縁部の間で上記出口は区画されており、ケーシングはシートバックの一方の脇部で詰物と一体になっている車両のシートに関するものである。
【手続補正３】
【補正対象書類名】明細書
【補正対象項目名】０００２
【補正方法】変更
【補正の内容】
【０００２】
【従来の技術】
側面エアバッグを備えたこの種の従来技術の車両のシートでは、シートバックのカバーは完全に安全装置のケーシングの前壁を覆っており、このカバーはこの前壁と対応する位置に裂けやすい継ぎ目を有している。
【手続補正４】
【補正対象書類名】明細書
【補正対象項目名】０００５
【補正方法】変更
【補正の内容】
【０００５】
本発明の目的は、上述の欠点を克服し、安全装置が確実に動作し、汎用性のある側面エアバッグを備えた車両のシートを提供することである。
【手続補正５】
【補正対象書類名】明細書
【補正対象項目名】０００６
【補正方法】変更
【補正の内容】
【０００６】
【課題を解決するための手段】
【手続補正６】
【補正対象書類名】明細書
【補正対象項目名】０００７
【補正方法】変更
【補正の内容】
【０００７】
上述の目的を達成するために、本発明による側面エアバッグを備えた車両のシートは、基本的にそのカバーは第１と第２の互いに隣接する縁部によって形成されている切れ目を有し、この２つの縁部はカバーの一部であり、かつケーシングの前壁における出口の２つの縁部にそれぞれ対応する関係になるように配置され、切れ目の２つの縁部はそれぞれ出口の対向する側部でケーシングに固定されていることを特徴とする。
【手続補正７】
【補正対象書類名】明細書
【補正対象項目名】０００８
【補正方法】変更
【補正の内容】
【０００８】
こうした構成においては、カバーにある切れ目の縁部はケーシングに固定されており、カバーには裂けやすい継ぎ目の必要がないので、各カバ−の設計ごとに安全装置の正確な作動を確認する必要もなく、シートバックカバーの位置決め問題が回避される。
【手続補正８】
【補正対象書類名】明細書
【補正対象項目名】０００９
【補正方法】変更
【補正の内容】
【０００９】
本発明の好ましい幾つかの実施態様では、以下の特徴の１つ以上が用いられている。すなわち、
（１）ケーシングの前壁にある出口はこのケーシングの側壁の近傍にあり、出口の２つの縁部は、その一方がケーシングの側壁に設けられ、他方が閉鎖壁に設けられていて、この閉鎖壁はケーシングの前壁の一部であって、かつ出口を開けるために上記ケーシングの固定部分に対して持ち上がることができ、カバーにある切れ目の第１の縁部はケーシングの側壁に固定され、切れ目の第２の縁部は閉鎖壁に固定されている。
【手続補正９】
【補正対象書類名】明細書
【補正対象項目名】００１１
【補正方法】変更
【補正の内容】
【００１１】
（３）ケーシングの前壁にある出口は、このケーシングの側壁に取り付けられている溝形材によって境界を区画され、そして溝形材はシートバックの外側に向かって側方に開口しており、カバーにある切れ目の第１の縁部は上記溝形材に嵌め込まれ、溝形材内に第１の縁部を保持するための相補的保持手段が設けられ、相補的保持手段と協働する保持手段が第１の縁部に取り付けられている。
【手続補正１０】
【補正対象書類名】明細書
【補正対象項目名】００１２
【補正方法】変更
【補正の内容】
【００１２】
（４）ケーシングの前壁にある出口に沿って設けられている溝形材は、ケーシングのプラスチック材の側壁と一体になるように形成され、この溝形材は、外側の側壁と、ケーシングの側壁によって形成されている内側の側壁と、これらの外側の側壁と内側の側壁を連結する後壁とを備えている、ほほＵ字形の断面を有している、
【手続補正１１】
【補正対象書類名】明細書
【補正対象項目名】００１３
【補正方法】変更
【補正の内容】
【００１３】
（５）ケーシングにある出口に沿って設けられている溝形材は、ケーシングから離れている外側の側壁と、ケーシングにより近い内側の側壁と、上記外側の側壁と内側の側壁を連結する後壁とを備えた、ほぼＵ字形の断面を有し、外側の側壁は、上記相補的保持手段を構成する内側に突出しているリムを有し、カバーの縁部に取り付けられている保持手段はほぼＪ形の弾力性のある形材から成り、この形材はシートバックの外側に向かって開かれ、かつカバーの縁部に固定される内側分岐と、溝形材の外側の側壁に突出しているリムの後ろに係合される外側分岐とを有している。
【手続補正１２】
【補正対象書類名】明細書
【補正対象項目名】００１５
【補正方法】変更
【補正の内容】
【００１５】
（７）カバーにある切れ目は、ケーシングの向き合うそれぞれの側面にある２つの端末部分によって安全装置のケーシングを越えて延長されており、この２つの端末部分は、安全装置のバッグが膨張するときに、開くようになっている。
【手続補正１３】
【補正対象書類名】明細書
【補正対象項目名】００１６
【補正方法】変更
【補正の内容】
【００１６】
（８）カバーにある切れ目のすくなくとも一つの縁部は、ケーシングの近傍にある切れ目の一方の端末部分の少なくとも一部で自由になっている。
【手続補正１４】
【補正対象書類名】明細書
【補正対象項目名】００１８
【補正方法】変更
【補正の内容】
【００１８】
（１０）ケーシングの前壁にある出口の２つの縁部は、その一方がケーシングの側壁に、他方が閉鎖壁に取り付けられ、この閉鎖壁はケーシングの前壁の一部であって、出口を開くときケーシングの固定部分に対して持ち上げられ、カバーにある切れ目の第２の縁部は、ケーシングの前壁の閉鎖壁に取り付けられている形材に、切れ目の少なくとも一つの端末部分の高さで取り付けられている。
【手続補正１５】
【補正対象書類名】明細書
【補正対象項目名】００１９
【補正方法】変更
【補正の内容】
【００１９】
（１１）安全装置のケーシングの前壁は、ケーシングに取り付けられかつ開口部を有するカバー部材によって覆われ、この開口部はカバーにある切れ目にほぼ平行に縦方向に向かって延び、そしてケーシングの前壁の出口に対応する関係になるように配置されており、このカバー部材にはさらにカバー部材の開口部の対向する各側面に配置されている第１と第２の縦部材を含み、カバー部材の第１の縦部材はカバーにある切れ目の第１の縁部に固定され、カバー部材の第２の縦部材はカバーにある切れ目の第２の縁部に固定され、そしてカバー部材の２つの縦部材は、カバー部材の開口部の少なくとも一方の端末に配置されている少なくとも一つの弾力的な接続部によって、一つになるように連結され、開口部は通常は閉じられており、弾力的な接続部は、ケーシングの前壁における出口と同時に開口部を開くことができるようになっている。
【手続補正１６】
【補正対象書類名】明細書
【補正対象項目名】００２１
【補正方法】変更
【補正の内容】
【００２１】
（１３）カバー部材は、２つの端縁部の間でほぼ縦方向に延びている第１と第２の側縁部を有し、第１の側縁部にはカバー部材の溝形材が設けられ、このカバー部材には更に折り曲げることができかつ溝形材からカバー部材の第２の側縁部まで延びている薄板材が含まれ、この薄板材には、縦方向の中央部と２つの横方向の分岐を有するＵ字形の切れ目が設けられており、２つの横方向の分岐はカバー部材の第２の側縁部に向かって両端末まで延びており、両端部のところで薄板材は２本の折り線に沿って折り合わされ、これらの折り線の各々はＵ字形の切れ目の一方の端末とカバー部材の一方の端末との間に延びており、この２本の折り線とＵ字形の切れ目はカバー部材の第１と第２の縦部材との境界を区画し、折り線は弾力的な接続部を構成し、カバー部材の第１の縦部材は上記溝形材を備えていて、ケーシングの前壁に直接対向するように配置され、カバー部材の第２の縦部材はこのカバー部材の第２の側縁部を含んでおり、またＵ字形の切れ目によって境界を区画されている舌状部を備えており、カバー部材の上記第２の縦部材はほぼ１８０°第１の縦部材上に折り返され、舌状部はケーシングの前壁の閉鎖壁に直接当たって固定され、かつカバー部材の第１と第２の側縁部から離れるように延び、これによって、カバー部材の前壁にある出口の上に位置し、カバー部材の第２の縦部材によって覆われていた中央開口の覆いを取り除き、中央開口は前記カバー部材の出口（６３）を構成している。